(57)【要約】      （修正有）【課題】震動時でも抜けにくく、ピンの数を増やして、重量増にも対応でき、壁に当てた板面を横から強くたたくだけで移動、変更ができ、補修やクロス貼りの工事はしなくてもよい器材取付器具を提供する。【解決手段】注射針状のピン１と、板面７と、器材をかけるフック８を備えた注射針型かくし釘付き器材取付器具であって、板面の中央付近に注射針状のピンを設け、その先端に接着剤注入用穴１０を設ける。また、ピンの両サイドには強くたたけば折れるようにキズを設ける。細いピンの先端から接着剤を注入して石膏ボードにかためる。【選択図】図４
0003192649.tif 000002
【実用新案登録請求の範囲】
【請求項１】
注射針状のピンを壁にあてるフック付きの板面の中央付近に接合して、板面の中央付近には接着剤を注入するピンの円径の穴があり、そこへピンの端が出てくるようにしてあり、円筒形のピンと連動して接着剤が流れる構造として、ピンの先端の穴から出るようにする。いろいろな形、大きさ、厚み、材質の壁にあてるフック付き板面が壁にあたる部分のピンの位置にかくし釘のように強くたたけば折れるようにピンの両横にキズをあらかじめ入れておく。両横から交互に金鎚などで壁に当てた板面を強くたたくとピンが折れるようになる。
また重量のある器材の場合はピンの数を増やしてそのピンへ接着剤を注入することで対応する。
石膏ボードの中に入るピンの長さは石膏ボードの厚み９ｍｍと１２ｍｍに応じて石膏ボードの内側の側面にとどくように９．１ｍｍ、１２．１ｍｍとする。
以上の構成からなることを特徴とする注射針型かくし釘付き、器材取付器具。
【考案の詳細な説明】
【技術分野】
【０００１】石膏ボードの壁下地でクロス貼りへの器材の取付用の器具に関するものである。
【背景技術】
【０００２】石膏ボードの壁下地でクロス貼りへの器材の取付け器具は存在する。
【先行技術】
【０００３】石膏ボードは石膏をかためてつくったボード板のためにネジやクギがききにくい欠点をもつ、そのために次のような器具がある。
▲１▼  石膏ボードへピン針で打つ、石膏画鋲。フック本体と１〜５本のピン針で構成し        て、そのピン針はまっすぐ、又は交差したピンでぬけにくくしている。
ピン針を横へ２〜５本にしたり、四角形又は五角形状に配置することにより、よ        り重い荷重の器材用に使用する。
▲２▼  カールを石膏ボードに捻じ込んでカールの中の穴へネジを入れる器具。
▲３▼  キリ付きボードアンカーを捻じ込んでおき、その中へビスの太さ３〜６ｍｍのビ        スを入れると、ボードアンカーの先端が開いて抜けにくくなる器具。鉄製、アル        ミ製、プラスチック製のボードアンカーがある。
石膏ボード９〜１２．５ｍｍなどに使用する。
▲４▼  キリで石膏ボードに下穴をあけておきアンカーと共にビスを下穴に押し込むとビ        スを締め付けるとアンカーの先端が開き抜けにくくなる器具。
▲５▼  ロンスタッピング
ビスの先端がふたまたの二重になっておりビスをまわしてねじこむと先端の二重        の先が開く器具。
▲６▼  スイングフック
フック付きの板面の裏側に粘着さす接着剤、たとえば両面テープなどを貼ってお        き石膏ボードやクロス壁面に接着さす器具。
カレンダーなどの軽い器材に使用する。
ただ、取りはずす時には接着剤がクロスなどの表面にのこる欠点がある。
【考案の概要】
【０００４】いろいろな大きさ、形、厚み、材質でつくった、器材を引っかけるフック付きの板面に注射針状のピンを差し込んで固定して石膏ボードのクロス面に打ち込む器材取付器具であり、注射針状の細い円径の穴より接着剤を注入することによりピン先の穴から接着剤が出て石膏ボードに固める。接着剤の効用によりフック付きの板面が安定し、ぐらちきが少なくなり、大きな震動時にも抜けにくくなる。また額などの器材の移動、取り止めの時は壁にあてたフック付きの板面の両側面を交互にたたくことにより、ピンが折れて板面を取りのぞき、ほとんど目立たないピンあとのみが残る注射針型、かくし釘付き器材取付器具。
【考案が解決しようとする課題】
【０００５】家の中の居間、食堂、寝室、廊下、子供部屋などの壁は防火性の強さとコスト安のために石膏ボードとクロス貼りが一般的である。
その壁に絵画、写真などの額や時計、陶器などの器材を掛けようとする時はクギやビスなどを入れて引っかけをつくらねばならないが石膏ボードの中の層は粗いので釘やビスがきかずに固定できずにすぐに抜けるという欠点がある。
近年、いろいろなビスを入れるとアンカーの先端が開いて抜けにくい器具が発売されているが額などの器材を移動したり取りやめたりする時はビスやアンカーの穴の後があいてしまってコーキング補修やクロスの張り替えをしなければならない。
また１〜５ケの針状のピンをさし込んで重たい額などの器材を支える器具もあるが大きな地震時の震動の時には抜けて落ち床のフロアーや額や高価な絵画や陶器、時計などを傷つける。
【課題を解決するための手段】
【０００６】本考案は細い注射針状で先端に穴をあけたピンと器材などを引っかけるいろいろな形、大きさ、厚み、材質のフックが付いたクロス壁面に当てる板面と接着剤で構成する。フック付き板面の真ん中付近には接着剤を注入するためにピンの円径の端を固定しておき注射針のように中を空洞にしたピンに接合して接着剤を注入することによりピンの先端の穴より接着剤が出て石膏ボードに固める。またフック付きの壁面あてる板面と壁面の間のピンの位置には強くたたいたら折れるようにピンの横面の両サイドにカクシ釘のようなキズを入れておく。額などの器材を移動したり、取りのぞいたりする時はそのフック付きのあて板の横面を左右交互に金鎚などで強くたたくとあて板とピンとが切断されて、壁面のピンのみが残り目立たないピンのあとのみとなる。また強い震動があっても接着剤の効果によりピンのさし込みの場合よりもぐらつきが少なく、ぬけにくくなる。重い器材の場合はピンの数を増やすことで解決する。
【考案の効果】
【０００７】本考案は次のような効果がある。
▲１▼  注射針状のピンの先端から接着剤が出て石膏ボードとピンの先端をかためること        により壁に当たるフック付きの当て板面の頭の部分のぐらつきが少なくなり、地        震などの震動の時でも額や時計などの器材が落ちたりして床板や高価な絵画、陶        器、時計などを傷つけることが少なくなる。
▲２▼  少々重たい器材を掛ける場合でもピンを増やすことにより安定し、ぐらつきがな        くなる。
▲３▼  額などの器材の移動や取りやめる時もピン穴が小さく、ネジ穴よりも目立たない        ので自由につけかえが可能となる。
▲４▼  ピンをさし込み接着剤を注入するだけという操作で簡単である。
▲５▼  器材の変更、移動時でもフック付の当て板の頭を強くたたくだけという操作でク        ロス及び石膏ボードの表面は目立たないので補修などをしなくてよい。
【図面の簡単な説明】
【０００８】
【図１】  正面図
【図２】  側面図
【図３】  上からの図
【図４】  斜め図
【図５】  石膏ボードに本考案を入れた図
【図６】  石膏ボードに接着剤を入れた図
【図７】  ▲１▼本考案の壁にあたるフック付きの板面状の頭と金鎚  ▲２▼本考案の壁にあたるフック付きの板面状の頭を金鎚などでたたいておとした図
【図８】  本考案のピンの先端図
【図９】  本考案のかくし釘状のキズをピンに入れた図  ▲１▼正面図  ▲２▼左図  ▲３▼右図
【図１０】  数個のピンの場合  ▲１▼正面図  ▲２▼側面図  ▲３▼上からの図
【符号の説明】
【０００９】▲１▼  細いピン
▲２▼  ピンの先端の穴
▲３▼  接着剤
▲４▼  接着剤の容器
▲５▼  石膏ボード
▲６▼  クロス
▲７▼  壁あてのフック付き板面
▲８▼  器材をかけるフック
▲９▼  本考案のかくし釘状のキズ
▲１０▼  接着剤を入れる穴
▲１１▼  カナズチ
【考案を実施するための形態】
【００１０】次の順で実施する
（１）本考案のピンを器材の位置に合せ  てクロスの表面及び石膏ボードにさし込む。
（２）フック付きの壁の当て板の中央部付近のピンの端の円径の穴より接着剤を注入する      。
（３）接着剤の硬化スピードで時間は異なるが接着剤がかたまるまでまつ。市販の瞬間接      着剤を使用すると早く接着できる。
（４）額などの器材をヒモや鎖などでフックにつるす。
（５）額などの器材を変更、移動したり、取り払う時は壁にあてたフック付板面を両横の      側面を交互に金鎚などでたたいて切断する。
（６）クロス面に残った細いピンの後をほとんど目立たなくなるようにクロスの表面をや      さしくたたいて目立たなくする。
【産業上の利用可能性】
【００１１】近年、建物の内部の壁面は耐火性とコスト安のために石膏ボードとクロスを貼る場合が多い、その壁にいろいろな絵画、写真、時計、陶器などの器材を掛ける場合は震動時に落ちないようにアンカーの先端が開いて固定する器具を使用するが器材を移動したり取りやめたりする場合はアンカーやビス穴が大きく目立つために補修が必要となる、本考案は細いピンあとだけが残るために補修やクロスの張替え工事をする必要がなくなり、経済的にも助かり、また地震時などの震動の時にも、器材が落ちて床のフロアー、時計、陶器などや高価な絵画や額などを傷つけたりせずに安心した快適生活を送ることができる。
【図１】
0003192649.tif 000003
【図２】
0003192649.tif 000004
【図３】
0003192649.tif 000005
【図４】
0003192649.tif 000006
【図５】
0003192649.tif 000007
【図６】
0003192649.tif 000008
【図７】
0003192649.tif 000009
【図８】
0003192649.tif 000010
【図９】
0003192649.tif 000011
【図１０】
0003192649.tif 000012
【手続補正書】
【提出日】平成26年6月6日(2014.6.6)
【手続補正１】
【補正対象書類名】実用新案登録請求の範囲
【補正対象項目名】全文
【補正方法】変更
【補正の内容】
【実用新案登録請求の範囲】
【請求項１】
注射針状のピン（１）と、板面（７）と、器材をかけるフック（８）を備えた注射針型かくし釘付き器材取付器具であって、板面（７）の中央付近に注射針状のピン（１）の接着剤注入用穴（１０）を設け、注射針状のピンの（１）の両サイドにはキズを設けたことを特徴とする注射針型かくし釘付き器材取付器具。